(57)【要約】【課題】歩行する推進エネルギーの各関節、筋肉等の負荷をリニア発電装備で吸収のシューズ及び発電床。【解決手段】シューズ踵部と爪先後部の二つのリニア発電装備（2）は、円い外周受台のネジ枠と一体のネジ固定コイル電機子（4）と、バネ装備（3）で浮動の永久磁石界磁可動子（5）とにして、永久磁石界磁可動子（5）の丸い突出部（7）を踏圧し、浮動する可動子の丸い突出部（7）を足裏で正確に交互に圧する上下ストロークは、各関節の反発の負荷を先に吸収するバネ圧のリニア発電となって、各種二次電池に充電し、足裏の刺激、足癖の矯正、各関節への負荷、衝撃を吸収する各種リニア発電装備のリニアシューズとリニア発電床。【選択図】図1
2014064595.tif 000002
【特許請求の範囲】
【請求項１】
リニアシューズのリニア発電装備（2）は、アウトソール踵面と爪先後部面の二つの円いネジ枠(E)に装着のネジ固定コイル電機子（4）と、その下部面の靴底にバネ装備(3)を設けてバネ圧で浮動させる永久磁石界磁可動子（5）のリニア発電装備であって、歩行からの発電は、体重の移動を足裏で正確に永久磁石界磁可動子の丸い突出部（7）を交互に踏圧し、収縮と膨張のバネ装備は連動して、シリンダースライド溝(6b)のストロークの空隙と、好摺動性と絶縁と耐熱樹脂材のコイル浸透とコーティングからのリニア発電となる構成にして、充電は、携行する充電制御機器を具備して結線のポケットバッテリー（13）と、又は永久磁石界磁可動子の内部を結線及び非接触充電装備の収納場所(5b)にし、小型充電乾電池(13a)の充電設備にして、発電量は、シューズ内外の電器具、音響装具の電源となって、バネ装備と永久磁石界磁可動子は、可動子の下部面をブラダ(3c)の流体圧入口(G)と連結し、流体圧入と充電乾電池(13a)の取り出しは、上部面のネジ蓋(6a)にして、土踏まず部の連通穴(F)に挿入する一つの瓢箪型ブラダ（3c）と鋼バネ（3a）と弾性材(3b)と交換の出来るソール内構造にして、正確に二つの円い突出部(7)を交互に圧する歩行は、足、ひざの各関節部、靭帯、筋肉への負荷及び衝撃を先にリニア発電装備とバネ装備で吸収するリニアシューズ。
【請求項２】
前記二つのリニア発電装備（2）は、永久磁石界磁可動子（5）の替わりに前と後のバネ装備(3)を圧縮する浮動突出可動子（7a）を設け、或いは、ネジ固定コイル電機子（4）を取り外し、外周受台のネジ枠(E)に円いネジ枠材（6）を装着の発電装備の無い構成にして、バネ装備で浮動する浮動突出可動子を足裏で交互に踏圧するクッション歩行のシューズとなって、浮動突出可動子（7a）の内部を小型乾電池の収納場所(5b)にし、前記と同じ瓢箪型ブラダ(3c)と連結の流体圧入口(G)にして、シューズに設ける電器具、音響装具の電
源となって、正確にバネ装備(3)を圧する歩行は、足裏の刺激と、足癖の矯正と、負荷の吸収の健康シューズとなり、強いバネ圧は、脚力の強化シューズとなって、バネ装備は、前記前と後を連通する流体圧入の各種流体のブラダ（3c）、又は単独のブラダ(3c)と鋼バネ（3a）と弾性材（3b）と交換が出来て、請求項1に記載のリニア発電装備（2）と併用の出来るリニアシューズ。
【請求項３】
リニア発電装備（2）と、バネ装備(3)の点検交換が容易となるアッパーとアウトソールを面ファスナーで分割のシューズは、リニア発電装備のアウトソール上面(10)部と、その上部アッパーミッドソール下面(9)を面ファスナーの無い円い開口部にして、そして、アッパー下部左右前後の側部の全周を雌雄面(D1)の面ファスナー部にし、アウトソールの側部の全周バンド面を貼着面にして、底部と側部の雌雄面ファスナー(D.D1)は、貼着と適宜の各部を各種バンド(11)締めにして、完全な止着のシューズとなって、又各種のアッパーシューズ部は、一つのリニア発電装備のアウトソールと、同形状の交換の出来る複数のアッパーシューズ部になり、又はそのアッパーミッドソール下面(9)と同形状の各種アウトソール上面(10)との貼着交換の出来る面ファスナーシューズとなって、アッパーとアウトソールを分割型にした請求項1と2に記載のリニアシューズ。
【請求項４】
リニア充電ケース(2a)は、アウトソール踵面と爪先後部面の二つの円いネジ枠(E)に装着する永久磁石界磁固定子(5a)と、内側のコイル電機可動子(4a)と、固定子(5a)の底面にバネ装備(3)を設けてバネ圧で可動子(4a)を浮動させる構成にし、この可動子(4a)内部を充電乾電池の収納場所(5b)にする円い固定子(5a)の硬質枠材に全体を薄く一つにまとめるリニア充電装置(2a)のケースであり、又はアウトソールの同径のネジ枠台に嵌合の発電設備の無い各種バネ装備からリニアクッション装置(2b)のケースにし、踵と爪先後部のネジ枠台にいずれかのケース(2a.2b)を装着と交換の出来る構成にして、このリニア充電ケース(2a)は、足裏で可動子の突出部(7)の踏圧のストロークが発電となって、結線、非接触の制御機器を具備から充電となり、ネジ蓋(6a)から小型充電乾電池(13a)を交換の構成と、又はシューズの電器装具と結線にして、或いは可動子(4a)内部全体を充電池にする薄くしたリニア充電ケース(2a)が一つの薄い携帯ポケットバッテリー(13b)となって、あらゆるシューズのアウトソールに装着出来る薄い充電ケース(2a)となり、充電交換から各種電器具の継続電源となるリニア充電ケース。
【請求項５】
発電床(16)及びマット(16a)は、屋内外の歩道、階段歩行面にリニア充電ケース(2a)を装着する発電床(16)及びマット(16a)にして、不特定の歩行者の踏圧の発電量をまとめる適宜面積の発電床と、又は敷設するマット形状にして、発電床及びマットは、二列の歩行幅のラインの下部にリニア充電ケースを装着して、又は上下板面(16d)で複数のリニア充電ケースを挟み、その板面の踏圧のマットにして、いずれもリニアストロークが発電量に比例のリニア充電ケースを複数ネジ装着し、そして、歩行幅の装着面を色別して界磁可動子の踏圧のストロークは、体重の負荷、衝撃を吸収しての発電となり、歩行者は、率先して色別マーク(16b)のライン上を歩行のものとなって、全体を結線して充電制御回路から商用電源(16c)に接続し、又、二次電池に充電するリニア充電ケース(2a)からなる複数の発電床及びマット。
【発明の詳細な説明】
【技術分野】
【０００１】
シューズの靴底ソール内の体重移動からの上下動のリニア発電に関する。
【背景技術】
【０００２】
現況の靴、各種シューズは安価でデザイン性と軽さとフィット性を重視して、体重をヒールソール内のクッション等で受けるエアーシューズ及びクッション材等の開発から新規機能の発明のものは見当たらない。
【先行技術文献】
【特許文献】
【０００３】
【特許文献１】特開2008-208766     回転機構一体型発電装置
【特許文献２】実願平1-137661      発電装置付き履物
【特許文献３】特開2002-369701     靴  音、揺動、振動、スターリングエンジン、波力等は、簡単な外部からの左右の揺れ、上下動を起電エネルギーにしてのリニア発電がある。エアシューズ等は、ソール内のブラダ（エアバック）からクッション性のものであり、硬質バネ、或いは、軟質材をソールに挿入したクッションシューズがあって、本願発明のリニアシューズは、アウトソールの踵、爪先後部の蹴り出し部に二つのリニア発電装備を設けて、流体圧ブラダ、クッション材、若しくは鋼バネのいずれかを前後のリニア装備の下部に挿入のリニア可動子を受ける構成にして、ブラダは、体重の踵から爪先後部への移動と連動し、ブラダは前後で連通の空気圧の移動の構造にして、リニアとバネの圧縮作用は、体重の衝撃を吸収しながら上下動のリニア発電にして、リニア装備は、界磁子（永久磁石）と電機子（コイル）のいずれかを固定子と可動子にして、上下する可動子からのリニア発電にした。
【発明の概要】
【発明が解決しようとする課題】
【０００４】
その構成は、アッパーとアウトソールを一体型と、シューズミッドソール面とアウトソール上面と、を
面ファスナーとバンドで止着の分割型にして、そして、二つの前後のリニア装備は、アウトソール上面を受台とするネジ固定蓋の差し込み構造にして、そのリニア発電固定蓋装備は、踵ソール面と爪先蹴り出しソール面の角度に連係するプラスチック硬質材を使用し、固定子と可動子の空隙の確保と摺動と絶縁は必定のものにして、仮に、外側はネジ固定コイル電機子（4）にして、分離独立の可動子はバネ圧に載る浮動構造にし、ネジ固定コイル電機子（4）と分離して、ソール面から10mm程の浮動する永久磁石界磁可動子（5）の丸い突出部（7）を足裏踵面と爪先後部面で体重を載せて踏圧して、リニアとバネ（流体、鋼板、ゼンマイ、弾性材）は圧縮されて、交互の歩行でリニア発電となる。そして、その靴底面と、バネ装備と、アウトソール上面ネジ固定のリニア発電装備は、独立の構造にして、前後の一つのブラダは、土踏まず部で適宜の径にしぼり挿入する瓢箪形の連通のものから体重を受けて、リニアに連動となるものにして、その前と後の二つのリニアとバネ装備は、ミッド、アウトソールの面ファスナーで貼着の分割の出来る上下分割の交換シューズにすることから、ソールの雌雄ネジのネジ蓋リニア装備と、挿入ブラダ、鋼バネ装備と、パーツ交換及び修理が簡単に出来るものにし、
そして、その面ファスナーのみのソール面の貼着では、不完全であり、ソールの前後、左右の複数ヶ所から靴紐バンドでアッパー部を紐、面ファスナー、金具等で締めるアッパーシューズとアウトソールは完全な止着となる構成とした。
あらゆるアッパー部と、ソール部と、靴底部と、を面ファスナーで交換出来て、靴紐バンドで完全止着からリニアとバネの発電装備の無い各種競技用ソール部との組み合わせが可能となるものとした。
【０００５】
リニア発電装備において、水の位置エネルギーを利用の大形、小型のロータリー発電装置であれ、各種の自然エネルギー装置は、常に目的とするエネルギーが損失無く取り入れられる効率の良い装置は少なくて、そして、極身近な人の歩行においても、重力に逆らって推進の位置、運動エネルギーは、全てが推進（前進）のエネルギーに変換されては無くて、接地の衝撃は、関節と靭帯と腱、筋肉に吸収されていて、その吸収から身体のバネ力に変えて反発の進行と減衰のエネルギーになっている。
そして、必要としない身体負担分は、疲労の蓄積と体力の消耗となり、その消耗エネルギーを踵と、爪先後部の二つの連通するブラダで吸収をくり返して、その吸収から身体の関節の負担を軽減して、ソール内の永久磁石界磁可動子と靴底との間に設けるブラダ、鋼バネの圧縮動は、リニアと連動の往復動となり、現況のエアシューズと違って、衝撃の吸収のみのものから、前後の体重移動は、永久磁石界磁可動子の上下動と、ブラダの圧縮、収縮、膨張が交互に連動し、ブラダで先に衝撃を吸収しながら、身体の負担を軽減して、長時間の歩行から体力の消耗を少なくして、徐々に無理のない携行ポケットバッテリー、充電乾電池に充電する歩行発電能力のリニアシューズとする。
【０００６】
人が直立の時は、各関節と靭帯と筋肉で体重をバランスさせて、踵と爪先後部で地面と一体となって、現代の水平歩行では先にヒール面から接地して、踵から土踏まず爪先への踏み込み部分で重心の移動から蹴り出しての推進歩行の形態となっている。
そして、各関節の駆動と靭帯、腱、筋肉の伸縮から左右交互のくり返し歩行で地面を蹴る推進の力は、重力に逆らって、左右シューズのクッションと身体の各骨と関節部の軟質クッション部と靭帯と各腱、筋肉で体重の衝撃を受けて吸収して、その関節の可動からの作用の接地、反作用の蹴り出しの力は骨、靭帯、腱、筋肉のバネに変わり歩行となっている。
重力に逆らう関節クッション部の抵抗負担は、関節、筋肉痛の原因となっていて、その抵抗を関節クッション部で吸収しているものから、先に地面に接するシューズ踵と爪先後部のソール内の発電リニアシリンダーと二つのバネで衝撃の大半を先に吸収する構成にして、リニア発電のネジ固定コイル電機子（4）、永久磁石界磁可動子（5）を固定子、或いは可動子にして、リニアシリンダー内をいずれかを往復動可動子の10mm乃至15mm/0.5秒程のストロークのリニアの発電量とするものとした。
【０００７】
例えば、関節と筋肉の回動と伸縮が左右の片方の足で可動子の上下動と歩行進行の交互のくり返しのものとなり、可動子の運動は、接地から地面を蹴る時間のものであり、足を上げて下ろす加速度エネルギーと前方への反発の推進エネルギーに分解出来て、体重による接地と踏み込みと蹴り出しのエネルギーと、前後のバネの交互の圧縮の反作用のエネルギーとによる身体の抵抗負担分をリニア発電とするものであり、そして、推進歩行の重力分が発電量となって、踏み込みと蹴り出しは、各関節と各骨、各靭帯、各腱、筋肉への負担分であり、バネ収縮の吸収から負担分は軽減され、発電力に吸収されるものとなる。
そして、地面からのバネの反発をリニア発電の上下動の発電量に変換するものとして、接地と踏み込みと蹴り出しの反発力をエアクッション及び各種ゴム材と足首、膝、股関節等の関節クッション部とそれぞれの靭帯、腱、筋肉で受けていた今までのクッションシューズから、二つに分ける前と後のブラダ圧の設定と、空気圧の移動と、別々の鋼バネの圧縮能力のものに選択して、リニア発電の加圧力とバネの収縮からの関節部の軽い吸収にして、筋肉の伸縮も軽くなる健康シューズになり、推進エネルギーは、リニア発電量に変換される。
【０００８】
各人のシューズの歩幅と各人の体重を支えて受ける左右の靴底には、体重が係り、その力をシューズのソール内の土踏まず前部のブラダと踵部のブラダで交互に受けて、左右交互の体重の移動からの負荷から踵ブラダの空気の圧縮は、殆ど時間差無く同時に前部ブラダへの圧入となり、鋼バネは、瞬時に反発となって、蹴り出しは、前部ブラダの圧縮となって、踵ブラダに圧入となるものから、ブラダの形状による容量と、圧力は、踵部と蹴り出し部の各人の脚力に合う調整圧にして、そして、ブラダを下部にする上部リニア発電装備は、ネジ蓋と一体の踵部の円形シリンダーと爪先後部の緩い楕円形、若しくは円形のシリンダーにして、外側をネジ固定電機子（4）にして、左右に挟む二つ、又は一つの空隙とする永久磁石の可動界磁子（5）は、浮動し、独立して上下動となり、ブラダは連動のものとし、そして、ブラダと鋼バネとは、交換の出来る構造にした。
【０００９】
例えば前後の連通するブラダは、自転車等の空気圧ポンプで注入口バルブとして、外部から空気注入口を設けるものとした。 
そして、リニアシューズは、一つのミッド、アウトソール内のリニアとブラダ発電装備の一体型シューズと、ミッドソール下部面とアウトソール上部面を雄雌の面ファスナーで貼着とバンド止めとする分割シューズと、アッパーシューズ部の交換と、靴底アウトソールの交換の出来るシューズにして、そして、ネジ蓋と一体のネジ固定コイル電機子（4）と、永久磁石界磁可動子（5）と、ブラダの交換と、リニア装備（界磁可動子（5））を設けず浮動突出可動子(7a)にして、アウトソール内に前後二つのブラダのみのものと、連通せず単独のブラダと、或いは、土踏まず部で前後のブラダは管連結のものと、連通の瓢箪型のブラダと、そして、前記鋼バネと、普通の任意の厚みのクッション材のアウトソールと、ウォーキングシューズ形態等の薄いクッションシューズと、適宜に交換の出来る面ファスナーで貼着の交換のシューズのものとした。  
上記する任意の組み合わせ能力の構成から各人の好むアウトソールを雄雌ファスナーでアッパー部と一体のミッドソールに貼着の固定方法のものから、ブラダ単独の選択肢のスポーツ、ジョギングシューズ形態のものとして、スニーカーとビジネスシューズにも活用となり、リニア発電装備シューズはコイルと永久磁石分が重くはなるがブラダのクッション性から関節、筋肉への負担は軽減される正確な歩行は、足裏の刺激なり、強いリニア発電装備は、脚力強化のシューズとなって、健康的なシューズとなるものとした。
【００１０】
そして、前記アウトソール内に組み込む方式のものと、より簡単なリニア発電の固定子、界磁子、バネ装備、制御機器、充電電池を一つにまとめて、小型で薄いケースのリニア充電装置にして、アウトソールのネジ枠台にネジ嵌着、着脱する方法にし、取り出し電器具に接続する携帯バッテリーとなって、又上部のネジ蓋から小型充電乾電池の取り出す方法にして、結線及び非接触の充電方法のものとし、電気量は、少なくなるがより便利な、あらゆるシューズがリニア発電シューズとなるものとした。
そして、歩道、階段、駅等の多数の人の歩く踏圧を複数のリニア充電装置をまとめる色別の発電床およびマットにして、歩行者は、体重の衝撃の吸収から率先して、無意識にその色別ライン歩行となるリニア充電装備の活用とした。
又、リニア発電装備は、外洋の波力及び水圧を利用の船体、ブイ等に設置して、波力リニア発電装備とした。
そして、前述の分割の面ファスナーシューズの活用は、ソール靴底と上部ソール面を分割して、そのファスナー面と、車両、船、飛行機等の任意の場所にファスナー面を接着して、雌雄面の貼着から揺れる、滑る場所での静止作業、接着歩行が出来るものから滑り止めとなって、高所、危険作業場所の安全な作業靴となるものとした。又、面ファスナーと同様の効果となる滑る歩行面に硬質のエラストマーマットの突起面のシートを接着して、マットシート突起部と同様の作業靴底面ソールと面ファスナーで交換して、面ファスナーのループとフックの貼着と違う滑り止め突起のかみ合いのスパイク効果となる面ファスナーシューズとした。
【課題を解決するための手段】
【００１１】
請求項1の発明は、
シューズ歩行の体重の移動の左右の足と身体への衝撃は、アウトソール内に設ける踵と爪先後部のリニアと、ブラダの発電装備と、前進するエネルギーに吸収して、リニア発電装備(2)は、アウトソール内の踵面と爪先後部面の二つの円い外周受台のネジ枠(E)にネジ固定コイル電機子(4)をネジ固定にして、ネジ固定コイル電機子(4)の枠材は、バネ装備(3)を下部にしてバネ圧で浮動する円い永久磁石界磁可動子(5)を下部面で受け支えて、ネジ固定コイル電機子(4)の内面と、永久磁石界磁可動子(5)のスライド外面は、極数と、コイル及び磁石の配置は適宜にし、複数のシリンダー凹凸面をスライド溝(6b)の接触の無いものにして、永久磁石界磁可動子(5)は、歩行から前後の体重の移動を足裏で正確に丸い突出部(7)を交互に圧して、バネ装備(3)の連通する一つの瓢箪型ブラダ(3c)の流体の圧縮と膨張で受けて、空隙と、絶縁と、耐熱と、防水の確保となる摺動性の良い樹脂材の浸透とコーティングにして、上下スライドが磁束となるリニア発電装備(2)の構成とし、リニア発電量は、携行歩行の充電制御機器を具備するポケットバッテリー(13)と、又は永久磁石界磁可動子(5)内部に二次コイルを設け、発振回路、充電電制御機器を具える結線及び非接触の電磁誘導充電場所(5a)にし、界磁可動子(5)の下面とブラダ(3c)の流体圧入口(G)を連結固定にして、界磁可動子(5)の丸い突出部(7)をネジ蓋(6a)の開口部にして流体圧入口(G)と小型充電乾電池の取り出し口にし、シューズアッパー部に設ける電器具、音響装具と外部の各種電器具の電源となるものであって、ブラダ(3c)は、土踏まず部の連通部(F)に前もって嵌入して、装着するインソール、ネジ固定子をはずして鋼バネ(3a)及び弾性材(3c)との交換の出来る構造にして、正確に二つのリニア発電装備を交互に圧する歩行は、足とひざの各関節部、じん帯、各筋肉の負荷及び衝撃を先にリニア発電装備(2)と、各種バネ装備と、で吸収するアッパーとアウトソール一体型のリニアシューズとした。
そして、アッパーとアウトソール分割型のシューズは、リニア、ブラダのネジ蓋発電装備を面ファスナー無い開口部にして、アッパーシューズ部（8）のミッドソール下面（9）部と、アウトソール上面（10）の雌雄面と、アッパー下部側面の全周とソール雌雄の面ファスナーバンド面で貼着と、バンド（11）締めとの止着構成にして、簡単に分割の出来るものにして、リニア発電装備は、簡単に取り外して乾燥と交換と修理の出来る構造となって、又リニア発電を装備せずにバネ装備(3)の浮動突出可動子(7a)の構成にして、土踏まず部で連通と、又は連通のない前後単独のブラダ(3c)にした。
即ち本発明は、歩行によるエネルギーの足、膝、股関節等、靭帯、腱、筋肉等への衝撃を左右シューズのリニア発電シリンダーと、ブラダの吸収からの発電と、身体の消耗を軽減と成すリニアシューズの構成のものである。
【００１２】
請求項2の発明は、                                                                リニアシューズの発電部を取り外して、バネ装備(3)のクッションシューズにし、丸い浮動突出可動子(7a)の正確な歩行は足裏の刺激と、足クセの矯正と、体重の係る各関節部、靭帯、筋肉等への負荷と、衝撃と、をバネ圧で吸収するシューズとなって、強いバネ圧のものを使用は、脚力の強化シューズとなり、リニア発電装備（2）のネジ固定コイル電機子（4）を取り外して、外周受台のネジ枠(E)に丸いネジ枠材（6）を固定して、バネ装備(3)で浮動する浮動突出可動子（7a）を足裏で正確に交互に圧し、踏込む構成にして、又、浮動突出可動子（7a）の内部を小型乾電池収納場所(5a)にし、前記と同じネジ蓋(6a)とブラダと連結の流体圧入調整口(G)にして、交換装着のインソールの発熱素子、電磁センサー、電波発信機、等の電装具、又は動物除けの音域、擬似音響具の電源のものにして、アウトソール上面(10)の丸いネジ枠材(6)から挿入する踵部と前部の二つのブラダ及び鋼の板、ゼンマイバネ(3a)と、土踏まず部で圧入をしぼる瓢箪型のブラダ（3c）と、弾性材（3b）は、それぞれを交換の出来るソール内構造の前記アッパーとアウトソール一体型と分割型とのリニアシューズとした。
歩行の左右片方の足の踵から爪先への体重移動に連動し、適度の圧縮と収縮と膨張を交互にくり返して、
踵の接地と爪先の蹴り出しからの圧縮からの交互の前後を連通ブラダへの空気圧入は、ブラダで先に接地の衝撃を受けて、骨、靭帯、腱、筋肉の伸縮の負荷を先にブラダで吸収して、各関節の可動からの踵からのブラダの踏み込みは、爪先後部へのブラダ圧の移動からスライドする浮動突出可動子（7a）の蹴り出しの歩行となって、土踏まず部のソール内の連通穴の形状と、ブラダ口径の調整で前後ブラダの圧入をしぼり、そのブラダには、タイヤチューブ材等を使用して、空気を圧入する流体圧入口（G）を設けて、正確な歩行は、足裏の刺激と、矯正となり、そして、前記、ミッド、アウトソールの面ファスナーで分割交換のアウトソールのシューズでは、バネ装備(3)の交換性が良くなり、水、及び高粘度液体のブラダと、単独の空気クッションブラダと、各種鋼バネと、吸収と弾性の軽いゴム材及びフォーム材を各人の好みで前後に挿入する混成のクッションシューズとなり、好みと、使用目的で選択肢となる健康シューズを構成したものである。
即ち本発明は、体重の僅かな前後の距離の移動から、ブラダ流体圧の移動となり、地面からの衝撃を先にブラダで吸収して、その膨張圧力は弾性力と吸収力となって、関節、靭帯、筋肉の衝撃を減らすものとなり、そして、踏み出す関節の靭帯のバネと筋肉の伸縮の負担は半減して、推進の歩行エネルギーとなる構成のものである。      
【００１３】
請求項3の発明は、
請求項1と2に記載のリニア発電装備(2)を設けるアッパーとアウトソール一体型のシューズでは、各装備の修理、点検が容易では無くて、面ファスナーで貼着と分割のシューズにし、二つのリニア発電装備部をアウトソール上面(10)部と、その上部アッパーミッドソール下面(9)を面ファスナーの無い円い開口部にし、リニア発電装備（2）を取り外して、各種充電部と、バネ装備(3)の点検交換と、充電乾電池の取り出しが容易となる構成にして、しかし、面ファスナー雌雄の貼着面積が少なくなり、アッパー下部左右前後の側部の全周を雌雄面(D1)の面ファスナー部にし、アウトソールの側部の全周バンド面(D1)を貼着面にして、分割する雌雄面ファスナー(D.D1)は、貼着と、適宜の各部を左右前後の各種バンド（11）の金具締め、及び靴紐締め、及び面ファスナー締め併用の完全な止着のシューズとなるアッパーとアウトソール分割型のシューズにした。
そして、各種材質、同形状のアッパー部とソール部が面ファスナーで交換が出来る応用シューズとなった。即ち本発明は、請求項1と2に記載のリニアシューズの点検を目的にしたものである。
【００１４】
請求項4の発明は、                                                              リニアシューズのリニア充電装置(2a)は、アウトソール踵面と爪先後部面の二つの円いネジ枠(E)に装着の永久磁石界磁固定子(5a)と、内側のコイル電機可動子(4a)と、固定子(5a)の下部の硬質底面にバネ装備(3)を設けて、円い硬質構成枠材に一つにまとめるリニア充電ケース(2a)であって、装着は、踵と爪先後部のアウトソール枠台と靴底とのネジ枠に嵌合して、リニア充電装置(2a)と、発電設備の無い各種バネ装備(3)の単独の
リニアクッション装置(2b)と、それぞれのケース(2a.2b)は、前後を交換の出来る薄いケースにした。足裏で可動子の突出部(7)の踏圧は、リニアストロークの結線、非接触の制御機器を具備からの充電シューズと、クッションシューズとなって、ネジ蓋(6a)から小型充電乾電池(13a)は、取り出して、又は結線して、シューズ内外の電器具、音響装具の電源にするリニア充電装置にし、リニア充電装置を一つの充電ポケットバッテリー(13b)のケース(パック)にして、薄くすることであらゆるシューズがリニアシューズに出来て、各種電器具の仕様と容量に合うものを用意して、交互に歩行充電することで電源の無い場所での継続使用の電器具となる。即ち本発明は、前記結線して充電する制御機器具備の歩行携行充電ポケットバッテリー(13)と違って、ケース自体を携帯するポケットバッテリー(13b)のものとした。
【００１５】
請求項5の発明は、
前記リニア充電ケース(2a)を装着する発電床(16)及びマット(16a)は、屋内外の駅等の多数の人の歩く歩道、階段等の歩行面を発電床にし、又は敷設するマット形状にして、二列の歩行幅のラインに歩幅間隔でネジ装着して、又は板面(16d)下に複数の充電ケース(2a)を組み込むマットにし、不特定の歩行者のマットの踏圧の全てが発電となる構成にした。そして、発電床及びマットの形状は、適宜の面積と厚みのものとし、界磁可動子のストロークは、体重の負荷、衝撃を吸収して発電となり、歩行者は、率先して色別のケース(2a)上、又マーク(16b)ライン上を歩行のものとなって、複数の発電床及びマットは、結線から充電制御回路(15)の商用電源(16c)に接続し、又、二次電池に充電する複数の防水にした任意のストロークにした発電量のリニア充電ケースをまとめる発電床およびマットにした。即ち本発明は、屋内外の歩行面の、敷設ブロック、タイル等に設置して、前記バネ圧の踏圧は、足への衝撃を吸収することから必然に発電量は増すこととなり、あらゆる場所が発電の活用のものとなる。
【発明の効果】
【００１６】
自転車は、ギアを介して、クランクでタイヤ走行のものであって、本願発明は、シューズ歩行の上下動、前後動の身体の関節、筋肉とシューズへの負荷をソール部に設けるリニア発電に変換して、バッテリーに充電する構成にして、シューズアウトソールを鋼バネとエアクッション（前後のブラダ）と、リニア発電装備にすることから簡単に交換、修理の出来る取り外せるネジ構成にして、そして、靴底部アウトソール面と上部アッパーミッドソールシューズ部面を雄雌ファスナーで貼着するものとし、その面ファスナーで貼着とバンド締めのシューズは、あらゆる機能の靴底アウトソール、或いは、ミッドソールから上部の好みのアッパーシューズと交換出来るものから、前後のネジ蓋装備は、簡単に各装備の交換の出来る構造と、バネの力で衝撃の吸収から筋肉の疲れが少なくなり、そして、リニア発電装備(2)は、体力に合うパワーコンデェショナーから携行するポケットバッテリー(13)に時間をかけて充電するものとし、又可動子内部を小型乾電池の充電場所にし、その充電からバッテリー電源が備わり、電熱暖房シューズ、超音波、動物用除けのシューズ、各種音響シューズ、各種センサーシューズ(電磁機器のスイッチ、各種ドアの開閉、本人確認)、LEDライト、パソコン、携帯電話等の長期間の使用と、医療器具、電動器具等と、歩行充電しての小型モータ使用の自転車の交換バッテリーに使用して、又、警備軍事用のシューズは、GPS、各武具、通信装備の電源となり、そして、より簡易な発電装備と電池を一つのパックケースにまとめたリニア充電装置(2a)は、それ自体が携帯ポケットバッテリー(13b)であり、簡単にネジ着脱のものから応用範囲は広く電力、電圧の違う国外と、電源の無い場所に携行するシューズとなる。
そして、面ファスナー分割のシューズは、雄雌面ファスナーのいずれかを船体、飛行機翼等の滑り面に接着して、足場の悪い場所、高所、揺れ等の作業と、無重力、低重力空間の作業場所にも採用出来て、又、滑る歩行面に硬質のエラストマー、プラスチック、ゴム突起面のマットシートを接着して、突起シート面とかみ合う突起底面靴と、面ファスナーで交換して、ループとフックの貼着では無い、滑り止め面のスパイク効果となる安全な歩行と静止の作業性が良くなる面ファスナーシューズ。
【図面の簡単な説明】
【００１７】
【図１】リニアシューズのリニア発電装備の概略図である。    ［実施例1］（a図）リニア発電装備とブラダ装備の透視図。（b図）前後のリニア発電装備（2）及びリニア充電装置（2a）及びリニアクッション装置（2b）の平面図。（c図）踵部のリニア発電装備の側面図。（d図）アッパーシューズとリニア発電装備の靴底を面ファスナーとバンドで止着の透視図。
【図２】リニアとバネ発電装備の詳細図である。               ［実施例1］（e図）ブラダ装備とリニア装備と面ファスナーのソール面の位置関係図。（f図）前後のリニアとブラダの詳細図。（g図）上記のブラダの替わりに鋼バネを装着のリニア装備の詳細図。（h図）上記の踵部の靴底ソールにネジ装着のリニア装備の詳細な平面透視図。
【図３】ブラダ、鋼バネ装備の健康シューズの概略図である。    ［実施例2］（i図）踵部のネジ装着のリニア装備の代わりに円形のネジ蓋の丸い浮動突出部でブラダを圧する構成の健康シューズの概略図。（j図）上記の前後の連通するブラダの膨張と収縮のブラダの概略図。（k図）上記の踵部のブラダ、バネ装備挿入ネジ枠材装着の平面の概略図。（l図）上記のブラダの代わりに鋼バネを装着の概略図。
【図４】面ファスナー分割とバンド締めシューズの概略図。      ［実施例3］（m図）ミッドソールとアウトソールと側部とを雌雄面で貼着と靴ひも併用の止着にした概略図。（n図）地面の滑り面の突起と靴底突起とのかみ合わせの詳細図。又、薄く、軽い競技用のアウトソールに止着した概略図。
【図５】アウトソールと靴底にリニア充電装置とリニアクッション装置をネジ嵌合の概略図  ［実施例4］（o図)  上記の踵部のリニア装備のネジ枠材装着の詳細な平面透視図。 (p図)  上記のコイル可動電機子(4a)の内部と、ケースを専用充電池と、にするネジ嵌合の概略図。 (q図)  上記のリニア充電装置のネジ嵌合の平面図。 (r図)  上記のリニアクッション装置をネジ嵌合の概略図。 (s図)  発電床、マットのにリニア充電ケースを装着の概略の側面図。    ［実施例5］ (t図)  階段の発電床、マットに可動子マーキングする概略図。          ［実施例5］ (u図)  マットにリニア発電ケースを装着した概略図。                  ［実施例5］
【図６】リニア発電機からの充電回路の概略図である。               ［実施例1.4.5］（v図）リニア発電装備から結線するパワーコンデェショナーとコントローラで制御して二次電池のポケットバッテリーに充電となる回路と、非接触充電回路の発振回路と二次コイルと充電乾電池への回路の概略図。また発電床、マットの電源回路。
【発明を実施するための形態】
【００１８】
図面と符号に基づいて説明するものとした。
【実施例１】
【００１９】
［図1］の（a図、c図）の一体型のシューズと、（d図）の雄雌ファスナー分割の構成から［図2］のアウトソール上面からソール面の円い外周支持ネジ枠とネジ固定コイル電機子（4）のリニア装備は、永久磁石界磁可動子（5）と一体の簡単に脱着の出来る交換の出来る構造にし、瓢箪型ブラダ（3c）の流体圧バネ、鋼ゼンマイ（3a）、板バネ（以下バネ装備と記す）の嵌合のアウトソールから半回転程のネジ枠の取出し口にして、防水と、乾燥と、修理が出来るものにして、
（c図、f図、g図）の靴底内ソール面とリニア可動子下部面の間にバネ装備（3）を挿入して、そのバネ装備(3)の適宜の圧力は、永久磁石界磁可動子（5）を圧し、ネジ枠受台と一体のネジ固定コイル電機子（4）は、左右の永久磁石（A）の可動子で挟み空隙を確保し、ソール上面のネジ台（E）に固定して、バネ装備(3)に載る永久磁石界磁可動子（5）は、コイルと磁石の接触を防ぐシリンダー円周に雌雄凹凸のスライド溝（6b）を設けて、靴の曲がりにもスライドする絶縁加工のものとした。
そして、永久磁石界磁可動子（5）の上面の丸い突出部（7）は、足裏の踵面と、爪先後部面に直接、若しくはインソール、ミッドソールを介して間接のものでも良くて、歩行の前後の負荷加重で上下動となって、バネ装備は収縮して、ブラダ空気量の移動となり、リニアと、バネ装備(3)と、ミッド、アウトソールと、足裏が連動して、10mm程の上下動のリニア発電となる。リニアネジ蓋装備のアウトソール上面の連結部は、弾性力と耐熱、絶縁と、接着性の良い硬質ポリウレタン樹脂材、又はエラストマーを部分重合、若しくは接着して、円い外周支持ネジ枠とリニアのネジ固定コイル電機子（4）、永久磁石界磁可動子（5）のプレートには、ポリアミド、ガラス繊維強化ポリアミド樹脂材、ポリ塩化ビニル、硬質ポリウレタン等を使用し、ヨーク（4c）と併用の鉄材を補強材にして、コイル、磁石の接着の固定、及び固定、可動子のそれぞれをネジ装着にして交換の出来るものとした。
凸凹地面の歩行においての空隙（ギッャプ）の確保は難しくて、常に接触するものとして、耐熱と摺動性の良いフッ素系樹脂（四フッ化エチレン等）でコーティング、浸透して、コイルと永久磁石は、スライドしても絶縁となり、絶縁材と成る樹脂の浸透とフッ素樹脂のコーティングで防水となる加工にした。
【００２０】
ソール内のバネ装備(3)を圧する前後のリニアの構成は、ネジ固定コイル電機子（4）を挟む永久磁石界磁可動子（5）の上面の丸い突出部をミッドソールに接する足裏面で常に接し、地面の靴底内面はバネ装備(3)を圧して、体重で永久磁石界磁可動子（5）の丸い突出部（7）を正確に足裏で踏み込みながらの移動は、ブラダを圧縮し空気量を正確に移動しなければならず、正確な交互の前後の確実に10mm程を踏み込む上下動歩行は、足裏の刺激と歩行矯正の健康的な歩行リニア発電シューズとなって、その前と後のリニアの発電能力は、複数のコイルと永久磁石のリニアの数と、ストロークと、速さと、コイルの巻数と、永久磁石の磁力で発電量は決まり、一つ一つは直列に、又並列を併用の一つにまとめて、前後のリニア発電装備は並列及び適宜の直列にして、ブラシレス直流リニア発電機にして、交流同期リニアは適宜のものとした。
コイルと永久磁石は、重いものであり、複数のリニア極となるコイルと強永久磁石のネジ蓋と一体のプレートは、前記、アウトソールと同質以上の硬質、絶縁、耐熱、加工性の樹脂材にし、永久磁石は、コイルを左右に挟む小片加工のものとして、ネジ固定コイル電機子（4）は、左右永久磁石界磁可動子（5）と、速度に見合う磁束のものとし、［図6］の前と後のバネ装備(3)と連動の無理のない歩行でのパワーコンデショナー(14)、充電制御（コントローラ）回路（15）は、小型携行ポケットバッテリー（13）にまとめて、
充電能力は、使用電気機器に合わせる仕様のものとし、ズボン、上着のポケットからズボンの内側に接続線をそわせてシューズの発電部に結線し、丸い永久磁石界磁子(5)内部を空洞にし、丸い突出部（7）をネジ蓋の加工にし、結線の制御機器を具える充電装備と、若しくは非結線の抵抗、コンデンサーの発振回路と二次コイル(4a)を設け、非接触電磁誘導充電の充電小型乾電池(13a)の充電場所(5a)にし、シューズアッパーに設ける電装具、音響具及び外部電器具等の電源となるものであって、そして、シューズアッパー部
に設ける人と動物除けの音感、音域差のスピーカと、各種音響機器、ドア電磁センサー、本人確認センサー、結線の発熱インソール、及び外部電器具等の電源となるものであって、そして、小型の充電乾電池、ボタン電池(13a)の充電は、複数を同時充電に出来て、個人差の体重、脚力差に合うリニア発電機出力は、各種能力のものを揃えるものとし、仮に通勤時間等での歩行時間に制御コントローラ（15）から携行ポケットバッテリー(13)に充電して、携行ノートパソコン、ライト、携帯機器の等の電源となり、携行するEMS、マッサージ器具、センサー等の電機機器の幅が広がるものとなり、電力消費の多い電動器具、特に電動自転車の携行するポケットバッテリー（13）に交換の出来る短時間モータ駆動専用の走行自転車に応用となるものとした。
【００２１】
そして、ソール内リニア永久磁石界磁可動子（5）の速度で発電能力は変わるため、バネ装備の圧力と踏み込む力で変わり、仮に体重50kgの成人の水平歩行（階段、斜路は爪先歩行）での交互の踵から踏み込む力は、5.0cm程の高さから接地し、歩行幅を50cmに仮定と、重力加速度から1.2倍程の60kg程の力から瞬時の爪先部の蹴り出す反発力は平均して70kg程のものに仮定して、常に体重の1.3倍程の力がヒール部から爪先後部移りながら左右片方の足は常に接地となり前進となる。
接地と踏出しの左右交互歩行は、片足は50cm、二歩で1.0m/秒の速度で前進して、リニアストロークのバネ装備(3)の前後の可動子の圧縮と膨張は、往復の20mm/0.25秒程にし、各人の脚力にバネ装備の圧力は調整して、片足の前部と踵部のリニアは、往復で40mm/0.5秒となり、両足では、常に片方は接地となる距離と時間損失25％程から平均の60mm/1.0秒程のストロークで常時70kgの負荷に仮定して、そして、歩行においての位置、運動エネルギーを電機エネルギーに変換すると、界磁子の上下動から左右シューズに毎秒平均して70kgの力がリニアシリンダー内を往復60mm/秒の速度で落下するエネルギーとなって、0.07t（70kg）×0.060m×9.8G＝0.040×1000w＝40w/秒の発電になり、成人の体力で落下と蹴り出しは、体力の消耗と機器の抵抗損失等から30％の10w/秒程のリニア発電能力となり、発電のために歩行負担とならない大小出力シューズを用意し、体力に合うものとし、一時間程の歩行で充電出来る各種電池のものを用意して、リニアシューズが体力消耗とならないの無理の発電能力のものとした。
前と後のバネ装備(3)に対のリニア装備は、仮に50mm程の円形、若しくは楕円形にして、前記プレートに10mm程の間隔で固定子コイルを挟み左右に16個の希土類磁石で挟むものにして、そのNd系磁石は、樹脂材でコーティングの固定のおよそ10mm（幅）×15mm（長さ）×2mm（厚み）のものにして、その磁力は、10mmのストロークで発電となる界磁とコイル束の電機子のものとして、前後の二つのリニア装備では、早足の速度で発電能力は変わり、最大で24Vで1.0A程の同期リニア発電能力のシリンダーのものでは、（o図）のパワーコンデェショナーのコントローラからのベクトル制御インバータとした。
樹脂に埋め込む小片のNd磁石とコイル数は、出来るだけ薄く、軽く、固定しての永久磁石のストロークは、平均して10mm程のものであり、一つのシューズのリニア発電装備の界磁子と電機子のリニア極は前後で24個程のものとした。
【００２２】
その前後のリニア発電装備(2)には、複数極（24極のリニアの上下ストローク40mm/秒）で歩行速度は1.0m/秒の成人の普段の歩行のものから、直流ブラシレスリニア発電機のものとして、若しくは低速度の交流発電となる同期リニア発電機にして、そして、シューズは消耗品であるため、ソール部の交換の出来るシューズのものとして、或いは、複数のアッパーシューズの交換が容易に出来るものとして、又軟質のブラダ（エアバック）は、空気を抜けば土踏まずの穴から取り出せて修理が出来て、圧力調整は、外部からの流体注入バルブ(G)で出来て、リニアネジ枠シリンダーの発電部の固定コイル電機子(4)と永久磁石界磁可動子(5)は取り出し、摺動部の確認と交換の出来る簡単なパーツにして、簡単に外せるネジ挿入のものから再使用とパーツとの交換が出来て、安価な構成のものにした。
そして、リニア発電装備は、バネ装備(3)と、リニア発電装備(2)と、ソール面ファスナーと、アッパーシューズ部と、ソール靴底シューズ部は、それぞれを各メーカで製作して、最終のシューズメーカが各パーツの組み立て製造するものとした。
【００２３】
そのリニア発電機の発電能力は、左右のシューズからポケットの携行小型の充電バッテリーに配線し、ゆっくりの歩行と駆け足では2m/秒程の数倍スピードとなり、加速度から100kg以上の力となり発電量は倍増となり、制御コントローラは、その幅の一体の充電装備のものとし、そして、発電量は少なくなるがより軽くするため踵のみのリニア発電装備と、普通のシューズのソールと変わらない薄くリニア発電ストロークを半分の5mm程にすることにし、発電量を永久磁石界磁可動子内(5a)の充電乾電池(13a)に充電し、普段の歩行位置エネルギーの身体への衝撃負担分をリニア発電に取り入れて、気付かなく発電となっていて、各人に合うリニア発電負荷と、バネ装備圧の調整の出来るものから、正確な歩行と、足裏の刺激と、無理なく徐々に知らず知らずに足癖の矯正となる健康リニアシューズとなる。
【００２４】
そして、そのバネ装備(3)とストロークによる発電は、運動の足首、膝、股関節、各腱、靭帯、筋肉の疲労、消耗を軽減して、長時間の接地と蹴り出し力をシューズのバネ装備に吸収しながらリニアシリンダーの発電量に換えるものとなって、その正確な歩行は、各人の体力に合うリニア発電装備と、土踏まず内部を細くして連通する一つの瓢箪型のブラダ（3a）は、踵からの接地でブラダは圧縮され、同時に前部のブラダに圧入され、正確に足裏で丸い突出部（7）を捉えての発電となるものから、ブラダ(気体及び液体の混合)
圧力の移動は、推進エネルギーの正確な歩行となり、足裏の刺激と、歩行矯正と、発電出力の強弱から脚力の強化と、を兼ねて、リニア発電の健康シューズとなるものとした。
【００２５】
面ファスナーで上下分割から、各パーツの交換性が良くなり、選択肢は広がり、リニア発電装備とブラダ装備の無い構造にし、任意の形態と形状の靴底面アウトソールを使用して、雌雄ファスナーのかみ合いの空隙をクッションとする軽くて、薄いソールシューズが製作出来て、各人の好みのアッパーシューズ部（地下足袋、サンダル、スリッパ等）と交換と、（m図）の競技用の極薄く軽くするアッパーシューズ部とソール靴底（スパイク、ローラー、スケート刃等）と、トラック面、フローリング面、芝生面等、雨天用等の適宜
に交換の出来る各種の面ファスナーシューズにもなり、靴底サイドから爪先、土踏まず、踵部分でアッパー部をバンドの紐、金具、面ファスナーのいずれかで締める構成にして、前記雌雄のかみ合いの伸縮は、エアクッションと、軟らいソール靴底となり、地面を捉える走行が出来るものから、あらゆるスポーツシューズに応用できる面ファスナーシューズ。
【実施例２】
【００２６】
［図3］のアウトソールの（k図）の丸いネジ枠材（6）でバネ装備(3)の取り外しの修理と、リニア部の乾燥、点検、修理ができるものにして、そして、リニア発電装備(2)を取り外して、浮動突出可動子（7a）の内部を小型乾電池の収納場所(5a)にし、前記と同じ瓢箪型ブラダ(3c)と連結の流体圧入口(G)にして、シューズに設ける電磁センサー、電波発信器、発熱素子インソール材の電器具、動物除け音域の音響装具、それぞれの電源にして、
その挿入するブラダ（3c）は、同質又は異質の圧入バルブのタイヤチューブゴム材、任意の厚みと、圧力と容量差のある前後の構成にして、接地からの体重の移動は、踵リニア下部のブラダを圧し、流体の移動を土踏まず部のしぼり調整の出来る構成と、瞬間の前後に自由に交互の移動となる構成の瓢箪形のブラダ（3c）にして、爪先後部と踵のバネ装備の交互の圧入と膨張となり、各人の脚力と好みで交換できるものにして、（j図）の接地の踏み込みと同時に空気圧の移動となるものにした。又鋼バネのゼンマイ（3a）、板バネの反発力の強さと、形状は適宜のものを用意して、脚力に対処出来るものとした。
そして、ミッド、アウト、ソール面ファスナーの分割する形状は、任意のプラスチック材（ポリアミド等）のフィラメントフックとループ（パイル）で分割のものと、強力なメカニカルファスナーのものを使用と、上下ソールの硬質ポリウレタン樹脂等に溶着のものにして、貼着と、若しくは、より完全な踵、土踏まず、爪先後部のアウトソールサイドからのバンド（11）でアッパー靴紐部の穴を共用穴締めとする靴紐、バンド金具、一対のバンド面ファスナーのいずれかで締める二つの構成のものとした。
そして、分割シューズは、各パーツの交換性が良くなり、リニア装備を外してのブラダ、鋼バネの単独装備にして、足裏の刺激と、歩行矯正と、脚力強化と、の健康シューズとなる。そして、バネ装備の交換は、ネジ固定する丸いネジ枠材(6)と浮動突出可動子（7a）を外し、ブラダには、気体圧の単独と、高粘度液体単独と、気体と液体の混合と、ブラダ(3c)は共用のものにして、又、ブラダ装備の換わりに衝撃吸収、弾性材(3b)（ゴム、フォーム、クッション）を挿入して、又併用しても良くて、或いは、単独と、連通のブラダ(3c)と、弾性材は、選択肢のものとした。
【実施例３】
【００２７】
(e図)のアウトソール上面(10)のリニア発電装備（2）部と、その上部アッパーミッドソール下面(9)を面ファスナーの無い円い開口部にし、(d図)のリニア発電装備（2）及び丸いネジ枠材（6）を除き分割する各種の材質と形状と強弱の雌雄面ファスナー(D)で貼着にして、リニア発電装備（2）を取り外しと、各種充電部と、バネ装備(3)の点検交換と、充電乾電池の取り出しが容易となる構成にした。
しかし、面ファスナー雌雄の貼着面積が少なくなり、アッパー下部左右前後の側部の全周を雌雄面(D1)の面ファスナー部にし、アウトソールの側部の全周バンド面(D1)を貼着面にした。
［図4］のシューズのミッドソール面（9）と、アウトソール面（10）と、靴底面（12）と、いずれかを分割の出来る面ファスナーで貼着にして、下部ソールと、アッパーサイド面は、雌雄面の貼着のみでは完全な貼着ではなくて、分割する雌雄面ファスナー(D.D1)は、貼着と、適宜の各部を左右前後の各種バンド（11）の金具締め、及び靴紐締め、及び面ファスナー締めいずれかの完全な止着のシューズとなるアッパーとアウトソール分割型のシューズにした。
そして、前後と左右のアッパー下部サイド面をファスナー雌雄面にし、ソール前後と左右の適宜の幅と、長さのバンドの雌雄ファスナーで、ほぼ全周を被覆する貼着方法のものにして、面ファスナー分割シューズは、各種スポーツシューズのアッパーミッドソール雌雄ファスナー面と、リニア発電装備（2）のアウトソール雌雄面を同形状の交換の出来るシューズにして、又、そのアッパー部(8)と前記各種バネ装備の浮動突出可動子（7a）のシューズと、又は同形状の雌雄面の任意形状のアウトソールとの交換の出来るシューズとなって、そのアッパー部と各種スポーツのアウトソールと、外反母趾、扁平足、足クセ等の矯正の専用ソールシューズと交換の出来るものと、より薄く、軽いアッパー部と薄い各種スパイク等の靴底のシューズ（1）の組み合わせが可能な構造のシューズとなる。
そして、靴底面をファスナー面にし、車両、船、飛行機、低重力等の任意の場所にファスナー面を接着して、雌雄面の貼着から高所、滑る、揺れる場所での静止作業、接着歩行が出来るものから滑り止めとなって、高所、危険作業場所の安全な作業靴となるものとした。
又、(n図)雌雄面ファスナーの接着歩行でなくて、あらゆる滑り面に硬質のエラストマー、プラスチック、ゴムの玄関口のマットシート状の突起面（B）にし、シューズ靴底を突起面（C）にして、面ファスナーで交換の出来る靴底にすることで地面と靴底面でかみ合うスパイクシューズとなる。
【実施例４】
【００２８】
［図5］のリニア発電装備(2)を薄くて丈夫な一つのケース(樹脂硬質材、金属製)にまとめるリニア充電装置（2a）は、(o図)のコイル可動電機子(4a)内部を前記結線及び非結線の充電設備機器と、ボタン電池、小型充電乾電池の充電場所(5b)にし、又はコイル可動電機子(4a)自体を充電池の一体型にし、コイルのヨーク(4c)とネジ枠固定の永久磁石界磁固定子(5a)の底面を金属材の部分使用にし、絶縁、耐熱のフッ素系樹脂材の浸透とコーティングにし、(o図、p図)の一体型のバネ装備材に鋼バネ(3a)、弾性材(3b)（ゴム、フォーム、クッション）を使用して、固定子(5a)の底面で支えバネ圧で可動電機子(4a)を浮動させ、5mm程の上下ストロークで発電と成り、左右のシューズの一つのリニア発電量は、位置エネルギーとして0.010m/秒×0.070t(体重)×9.8G×20%(効率)×1000＝1.5w/秒程のもので薄くて簡易な構造にして、仮に直流発電6極の直列2.5vで15vの0.2Aとし、充電が終わるとアウトソールから取り出して、仮にパソコンの継続使用時間が3時間のものとすると、リニア充電は2時間で充電が終了し、継続の電源となる構成のリニア充電装置(2a)は個々が少容量の携帯ポケットバッテリー(13b)となって、薄いアウトソールのビジネスシューズ等に使用して、コイル可動電機子(4a)とネジ枠固定の永久磁石界磁固定子(5a)は、反対の設置構成でも良くて、シューズに装着は、踵と爪先後部のアウトソールネジ枠台と靴底とのにネジ嵌合の簡単に脱着のリニア充電ケース(2a)と、(r図)の発電設備の無い各種バネ装備圧のみのクッションケース(2b)にして、踵のみ、爪先後部のみ、適宜に交換の出来るケース(2a.2b)構成にして、足裏で可動子の突出部(7)の踏圧は、リニアストロークの発電と、クッションシューズとなって、又は(p図)のネジ蓋(6a)から小型充電乾電池(13a)は取り出して、又は結線して、前記シューズ内外の電器具、音響装具等の電源にするリニア充電ケース。
【実施例５】
【００２９】
(s図)のリニア充電ケース(2a)を装着する発電床(16)及びマット(16a)は、歩道、階段歩行の踏圧を複数のリニア充電ケースの発電をまとめる発電床にし、又は敷設するマット形状にして、二列の歩行幅の色別のラインシート内にネジ装着して、界磁可動子のストロークは、体重の負荷、衝撃を吸収して発電となり、歩行者は、率先して可動子の色別マーク(16b)ライン上を歩行のものとなって、
又は、一つの板面(16d)下に複数の充電ケース(2a)を組み込み、或いは硬質の板面でケースを挟む適宜面積のマット形状にして、不特定の歩行者のマットの踏圧がいずれかのケース(2a)上となる配置にして、全人数の歩行が発電となる構成にした。そして、発電床及びマットの形状は、適宜の面積と厚みのものとし、発電と足への衝撃と緩和を目的にして、歩行者が瞬間に可動子を踏み、その人数に比例の発電量となる複数の発電床及びマットは、前記の結線から充電制御回路(15)から商用電源(16c)及び二次電池に充電するリニア発電装備。そして、駅等の改札口は、多数の人の歩く男女の成人の平均体重60kgに設定バネ圧にし、防水ケース、防水マットにして、適宜のストロークと不特定の人の踏圧を吸収するバネ圧の発電量のものから複数のリニア発電ケースをまとめて、既存技術の制御の結線から発電床およびマットは、前述の充電制御方法から回路から近くの電源に入電し、又充電装備からバッテリーに貯蔵のものとした。そして、体力を利用する振動、圧電素子、回転等の発電方法のものが考えられているが、しかし、発電量が微小のものから費用と効果から実用となるものは実現していない。
【産業上の利用可能性】
【００３０】
自転車に充電バッテリーからの回転電動モータと人力とを併用の電動自転車が増えていて、家庭用電源で充電している。本願発明の携行小型のポケットバッテリー(13)と結線と、又は、携行ポケットバッテリー専用の小型電動モータ自転車にすることでリニア発電シューズの効果となる安価な電動自転車となり、
リニア充電ケース(2a)は、個々が少容量のポケットバッテリーとなって、パソコン、EMS等の電源となり、リニアクッション装置(2b)のバネ装備とを丸い突出部（7）で踏圧する構造は、正確に歩行する足の矯正と脚の強化のシューズとなる。又、人間以外に、重量のある動物の足にリニア充電ケース(2a)のシューズ、又、海洋動物に装着して、又、外洋の水上及び水中ブイ及び浮上構造物の船舶等の高速水流と縦横の波の圧力を上下手段とする防水の大型のリニア発電シリンダーにして、無人の浮上構造物、水上及び水面下に設置して、充電設備から推進力及び通信手段の電源とすることも可能なものとなる。本願の充電ポケットバッテリー、乾電池は、シューズに動物の嫌う音域又好む音域と動物の擬似音スピーカにして、極寒地には、発熱素子をシューズ内部に又装着のインソールに配置し結線のものとした。そして、薄いリニア充電ケース(2a)は、あらゆるシューズが発電シューズとなる。そして、駅等の多数の人の歩く踏圧を複数のリニア発電装置をまとめる発電床およびマットにして、商用電源及び充電装備にした。
そして、分割する面ファスナーシューズは、雌雄面での路面歩行は出来なくて、飛行機、電車、車両、船舶等の適宜の専用の歩行面及び側面、工場の専用歩行路面、屋根等、高所作業の足場面、滑り面に接着して、接着歩行とする。又、雌雄ファスナーの貼着の空隙は、エアクッション性と材質によるバネ性を持ち、それぞれをソール面に溶着するものにして、任意の側面からのバンドで甲部の靴紐とで締めて完全止着の構成にして、地面の形態、板床面等により靴底ソールの交換のできる競技用の軽くて専用の交換用シューズとなり、アッパー部交換は、ファション性のカラフルなものに、又サンダル、スリッパにも交換出来るものとなる。
【符号の説明】
【００３１】
A  永久磁石   
B  マットシート   
C 突起底面靴底    
D 面ファスナー雌雄面      D1アッパー下部側部全周の雌雄面ファスナー
Eネジ部         
F ブラダの連通穴部      
G ブラダ流体圧入連結口(圧力調整バルブ)
1 シューズ     
2リニア発電装備    2a リニア充電装置(ケース)    2b  リニアクッション装置(ケース)
3 バネ装備［3a 鋼バネ  3b 弾性材(ゴム、フォーム、クッション材)  3c  各種ブラダ］  
4 ネジ固定コイル電機子     4a コイル可動電機子       4b二次コイル    4c ヨーク
5 永久磁石界磁可動子      5a永久磁石界磁固定子     5b結線及び 非接触乾電池充電と収納場所    
6 円いネジ枠材                    6a  ネジ蓋      6bシリンダースライド溝
7丸い突出部    7a浮動突出可動子      
8 アッパー部  
9 ミッドソール下面                9a面ファスナー開口部        
10 アウトソール上面         
11 バンド (金具、面ファスナー、ベルトバンド)       
12  靴底                     
13 携行ポケットバッテリー      13a充電乾電池(ボタン電池)      13b 携帯ポケットバッテリー
14パワーコンデショナー   
15充電制御回路（コントローラ）    15a抵抗、コンデンサーの発振器
16 発電床      16a マット      16b  色別マーク      16c 商用電源      16d 板面
【図１】
2014064595.tif 000003
【図２】
2014064595.tif 000004
【図３】
2014064595.tif 000005
【図４】
2014064595.tif 000006
【図５】
2014064595.tif 000007
【図６】
2014064595.tif 000008
【手続補正書】
【提出日】平成23年11月18日(2011.11.18)
【手続補正１】
【補正対象書類名】特許請求の範囲
【補正対象項目名】全文
【補正方法】変更
【補正の内容】
【特許請求の範囲】
【請求項１】
リニアシューズのリニア発電装備(2)は、アウトソール踵面と爪先後部面の二つの円いネジ枠(E)に装着のネジ固定コイル電機子(4)と、その下部面の靴底にバネ装備(3)を設けてバネ圧で浮動させる永久磁石界磁可動子(5)のリニア発電装備であって、歩行からの発電は、体重の移動を足裏で正確に永久磁石界磁可動子の丸い突出部(7)を交互に踏圧することで行い、バネ装備は、連動して、ネジ固定コイル電機子(4)と永久磁石界磁可動子(5)の上下ストロークの空隙の確保は、シリンダーにスライド溝(6b)を設け、好摺動性と絶縁性と耐熱性を備えた樹脂材をコイルに浸透させ、且つコーティング加工にして、充電は、携行する充電制御機器を具備したポケットバッテリー(13)、又は永久磁石界磁可動子の内部を結線又は非接触の充電装備を設け、小型充電乾電池(13a)の充電と収納場所(5b)にして行い、何れかの充電池は、シューズ内外の電器具、音響装具の電源となって、可動子の下部面をバネ装備であるブラダ(3c)の流体圧入口(G)と連結し、ブラダの流体圧入と充電乾電池(13a)の取り出しは、上部面をネジ蓋(6a)にすることにより行い、バネ装備は、土踏まず部の連通穴(F)に挿入する一つの瓢箪型ブラダ（3c）と鋼バネ（3a）と弾性材(3b)との何れかに交換の出来るソール内構造にして、正確に二つの円い突出部(7)を交互に圧する歩行は、足、ひざの各関節部、靭帯、筋肉への負荷及び衝撃を先にリニア発電装備とバネ装備で吸収するリニアシューズ。
【請求項２】
前記二つのリニア発電装備(2)は、永久磁石界磁可動子(5)の替わりに前と後のバネ装備(3)を圧縮する浮動突出可動子(7a)を設け、或いはネジ固定コイル電機子(4)を取り外し、ネジ枠(E)に円いネジ枠材(6)を装着の発電装備の無い構成にし、バネ装備で浮動する浮動突出可動子を足裏で交互に踏圧するクッション歩行のシューズとなって、前記と同じ瓢箪型ブラダ(3c)と連結の流体圧入口(G)にし、浮動突出可動子（7a）の内部を小型乾電池の収納場所(5b)にして、小型乾電池は、シューズに設ける電器具、音響装具の電源となって、正確にバネ装備(3)を圧する歩行は、足裏の刺激と、足癖の矯正と、負荷の吸収の健康シューズとなり、強いバネ圧にした場合には、脚力の強化シューズとなって、バネ装備は、前記前と後を連通する流体圧入の各種流体のブラダ(3c)、又は単独のブラダ(3c)と鋼バネ(3a)と弾性材(3b)と交換が出来て、請求項1に記載のリニアシューズ。
【請求項３】
リニア発電装備(2)とバネ装備(3)の点検交換が容易となるアッパーとアウトソールを面ファスナーで分割のシューズは、リニア発電装備のアウトソール上面(10)部とその上部アッパーミッドソール下面(9)を面ファスナーの無い円い開口部にして、そしてアッパー下部左右前後の側部の全周を雌雄面(D1)の面ファスナー部にし、アウトソールの側部の全周バンド面を貼着面にし、底部と側部の雌雄面ファスナー(D.D1)貼着と左右前後を各種バンド(11)の金具締め、及び靴紐締め、及び面ファスナーの何れかで完全な止着のシューズとなって、又各種のアッパーシューズ部は、一つのリニア発電装備のアウトソールと、同形状の交換の出来る複数のアッパーシューズ部になり、又はそのアッパーミッドソール下面(9)と同形状の各種のアウトソールの上面(10)と交換が出来て、アッパーとアウトソールを分割型にした請求項1又は2に記載のリニアシューズ。
【請求項４】
リニア充電ケース(2a)は、アウトソール踵面と爪先後部面の二つの円いネジ枠(E)に装着する永久磁石界磁固定子(5a)と内側のコイル可動電機子(4a)と固定子(5a)の底面にバネ装備(3)を設けてバネ圧で可動子(4a)を浮動させる構成にし、この可動子(4a)内部を充電乾電池の結線又は非接触の充電制御機器の収納場所(5b)にし、円い固定子(5a)を硬質枠材とし、全体を薄く一つにまとめてリニア充電装置(2a)のケースとし、充電乾電池は、ボタン電池、小型充電乾電池、又はコイル可動電機子一体型にした充電池の何れかにし、このリニア充電ケース(2a)は、足裏で可動子の突出部(7)を踏圧するストロークによって発電し、ネジ蓋(6a)から小型充電乾電池(13a)を交換出来る構成とし、可動子(4a)内部全体を充電池にする薄くしたリニア充電ケース(2a)を一つの薄い携帯ポケットバッテリー(13b)とすることが出来、又は発電設備の無いバネ装備のリニアクッションケース(2b)と交換と併用が出来て、シューズのアウトソールに装着出来る薄い充電ケース(2a)となり、充電後各種電器具の電源とすることが出来るリニア充電ケース。
【請求項５】
前記リニア充電ケース(2a)は、屋内外の歩道、階段歩行面に発電床(16)及びマット(16a)に装着し、歩行者の踏圧の発電量をまとめる発電床、又は敷設する発電マット形状にして、発電床及びマットは、二列の歩行幅のラインの下部に複数のリニア充電ケースを装着するか、又は上下板面(16d)で複数のリニア充電ケースを挟む構成にして、リニア充電ケースはネジで装着し、そして、歩行幅の装着面を色別して界磁可動子の踏圧のストロークは、体重の負荷、衝撃を吸収して発電し、歩行者は、率先して色別マーク(16b)のライン上を歩行することが出来、全体を結線して充電制御回路から商用電源(16c)に接続出来、又は、二次電池に充電出来る複数の発電床及びマットに装着する請求項4に記載のリニア充電ケース。
【手続補正書】
【提出日】平成24年2月22日(2012.2.22)
【手続補正１】
【補正対象書類名】特許請求の範囲
【補正対象項目名】全文
【補正方法】変更
【補正の内容】
【特許請求の範囲】
【請求項１】
リニアシューズのリニア発電装備(2)は、アウトソール踵面と爪先後部面の二つの円いネジ枠(E)に装着のネジ固定コイル電機子(4)と、その下部面の靴底にバネ装備(3)を設けてバネ圧で浮動させる永久磁石界磁可動子(5)のリニア発電装備であって、歩行からの発電は、体重の移動を足裏で正確に永久磁石界磁可動子の丸い突出部(7)を交互に踏圧することで行い、バネ装備は、連動して、ネジ固定コイル電機子(4)と永久磁石界磁可動子(5)の上下ストロークの空隙の確保は、シリンダーにスライド溝(6b)を設け、好摺動性と絶縁性と耐熱性を備えた樹脂材をコイルに浸透させ、且つコーティング加工にして、充電は、携行する充電制御機器を具備したポケットバッテリー(13)、又は、永久磁石界磁可動子の内部に結線又は非接触の充電装備と共に収納する小型充電乾電池(13a)に行い、何れかの充電池は、シューズ内外の電器具、音響装具の電源となって、可動子の下部面をバネ装備であるブラダ(3c)の流体圧入口(G)と連結し、ブラダの流体圧入と充電乾電池(13a)の取り出しは、上部面をネジ蓋(6a)にすることにより行い、バネ装備は、土踏まず部の連通穴(F)に挿入する一つの瓢箪型ブラダ（3c）と鋼バネ（3a）と弾性材(3b)との何れかに交換の出来るソール内構造にして、正確に二つの円い突出部(7)を交互に圧する歩行は、足、ひざの各関節部、靭帯、筋肉への負荷及び衝撃を先にリニア発電装備とバネ装備で吸収するリニアシューズ。
【請求項２】
前記二つのリニア発電装備(2)は、永久磁石界磁可動子(5)の替わりに前と後のバネ装備(3)を圧縮する浮動突出可動子(7a)を設け、或いはネジ固定コイル電機子(4)を取り外し、ネジ枠(E)に円いネジ枠材(6)を装着の発電装備の無い構成にし、バネ装備で浮動する浮動突出可動子を足裏で交互に踏圧するクッション歩行のシューズとなって、前記と同じ瓢箪型ブラダ(3c)と連結の流体圧入口(G)にし、浮動突出可動子（7a）の内部を小型乾電池の収納場所(5b)にして、小型乾電池は、シューズに設ける電器具、音響装具の電源となって、正確にバネ装備(3)を圧する歩行は、足裏の刺激と、足癖の矯正と、負荷の吸収の健康シューズとなり、強いバネ圧にした場合には、脚力の強化シューズとなって、バネ装備は、前記前と後を連通する流体圧入の各種流体のブラダ(3c)、又は単独のブラダ(3c)と鋼バネ(3a)と弾性材(3b)と交換が出来て、請求項1に記載のリニアシューズ。
【請求項３】
リニア発電装備(2)とバネ装備(3)の点検交換が容易となるアッパーとアウトソールを面ファスナーで分割のシューズは、リニア発電装備のアウトソール上面(10)部とその上部アッパーミッドソール下面(9)をリニア発電装備が位置する部分を除いた全面に面ファスナーを備えて、そしてアッパー下部左右前後の側部の全周を雌雄面(D1)の面ファスナー部にし、アウトソールの側部の全周バンド面を貼着面にし、底部と側部の雌雄面ファスナー(D.D1)貼着と左右前後を各種バンド(11)の金具締め、及び靴紐締め、及び面ファスナーの何れかで完全な止着のシューズとなって、又各種のアッパーシューズ部は、一つのリニア発電装備のアウトソールと、同形状の交換の出来る複数のアッパーシューズ部になり、又はそのアッパーミッドソール下面(9)と同形状の各種のアウトソールの上面(10)と交換が出来て、アッパーとアウトソールを分割型にした請求項1又は2に記載のリニアシューズ。
【請求項４】
リニア充電ケース(2a)は、アウトソール踵面と爪先後部面の二つの円いネジ枠(E)に装着する永久磁石界磁固定子(5a)と内側のコイル可動電機子(4a)と固定子(5a)の底面にバネ装備(3)を設けてバネ圧で可動子(4a)を浮動させる構成にし、この可動子(4a)内部を充電乾電池の結線又は非接触の充電制御機器の収納場所(5b)にし、円い固定子(5a)を硬質枠材とし、全体を薄く一つにまとめてリニア充電装置(2a)のケースとし、充電乾電池は、ボタン電池、小型充電乾電池、又はコイル可動電機子一体型にした充電池の何れかにし、このリニア充電ケース(2a)は、足裏で可動子の突出部(7)を踏圧するストロークによって発電し、ネジ蓋(6a)から小型充電乾電池(13a)を交換出来る構成とし、可動子(4a)内部全体を充電池にする薄くしたリニア充電ケース(2a)を一つの薄い携帯ポケットバッテリー(13b)とすることが出来、又は発電設備の無いバネ装備のリニアクッションケース(2b)と交換と併用が出来て、シューズのアウトソールに装着出来る薄い充電ケース(2a)となり、充電後各種電器具の電源とすることが出来るリニア充電ケース。
【請求項５】
前記リニア充電ケース(2a)は、屋内外の歩道、階段歩行面に発電床(16)及びマット(16a)に装着し、歩行者の踏圧の発電量をまとめる発電床、又は敷設する発電マット形状にして、発電床及びマットは、二列の歩行幅のラインの下部に複数のリニア充電ケースを装着するか、又は上下板面(16d)で複数のリニア充電ケースを挟む構成にして、リニア充電ケースはネジで装着し、そして、歩行幅の装着面を色別して界磁可動子の踏圧のストロークは、体重の負荷、衝撃を吸収して発電し、歩行者は、率先して色別マーク(16b)のライン上を歩行することが出来、全体を結線して充電制御回路から商用電源(16c)に接続出来、又は、二次電池に充電出来る複数の発電床及びマットに装着する請求項4に記載のリニア充電ケース。